(57)【特許請求の範囲】
【請求項１】
ベース面と、このベース面に対して凹部となるディスク載せ面とを有するとともに、このディスク載せ面に載置されディスクの中心部に対応する部位が開口してなるディスクトレイを挿入及び排出するディスク装置において、
前記ディスクトレイの挿入位置で、前記載置されたディスクを挟んでクランプユニットとターンテーブルとを対向配置し、前記ターンテーブルが前記クランプユニット側に移動して前記ディスクの中心部をクランプするように構成してなり、
前記クランプユニットに、前記ベース面と所定の隙間で対向するフラット部を有するとともに、前記ディスク載せ面を跨いで挿入方向に延在するディスクガイドを設けたことを特徴とするディスク装置。
【請求項２】
前記所定の隙間を前記ディスクの厚さを超えない寸法にしてなることを特徴とする請求項１記載のディスク装置。
【発明の詳細な説明】
【０００１】
【発明の属する技術分野】
本発明はＣＤ−ＲＯＭ（ＣＯＭＰＡＣＴ  ＤＩＳＣ−ＲＥＡＤ  ＯＮＬＹ  ＭＥＭＯＲＹ）装置などのディスク装置の改良に関する。
【０００２】
【従来の技術】
従来、コンピュータ等のデータベースに用いられるＣＤ−ＲＯＭ装置に、ディスクトレイ方式のものがある。このような装置ではディスクトレイが水平に配置した形式のものが主流であった。
しかし、近年、ＣＤ−ＲＯＭ装置の小型化を図るとともに、省スペース化のためにディスクトレイを垂直に配置する試みがある。
このディスクトレイを垂直に配置することを可能にしたディスク装置として、例えば特開平８−１２４２６４号公報「ディスク装置」が知られている。
【０００３】
この技術は、同公報の図１及び図７に示されるディスクトレイ１２（符号は公報に記載の番号を使用した。）は、ディスクをマウントするためのディスク載置部４０を、ほぼディスク径に対応した基本部分４０ー１と、この基本部分４０ー１から略三日月形状に広げた拡張部分４０ー２〜４０ー５と、これらの拡張部分４０ー２〜４０ー５の周囲から中心に向って延ばした舌部４０ー６〜４０ー９とから構成したものである。
そして、基本部分４０ー１に向って挿入したディスクが自重で下方に下がることによって、拡張部分４０ー２〜４０ー５と舌部４０ー６〜４０ー９とで形成される隙間にディスクの外周部が挟まりディスクをほぼ垂直に支持するものである。
【０００４】
【発明が解決しようとする課題】
しかし、拡張部分４０ー２〜４０ー５と舌部４０ー６〜４０ー９とで形成される隙間を狭めると、ディスクトレイ１２にディスクが装着しにくくなる。一方、拡張部分４０ー２〜４０ー５と舌部４０ー６〜４０ー９とで形成される隙間を大きくすると、ディスクが傾きディスク装置内に搬入できない虞れがある。
また、ディスクの厚さにも一定範囲のばらつきがあり、拡張部分４０ー２〜４０ー５と舌部４０ー６〜４０ー９とで形成される隙間の設定が難しいため、ローディングが不安定になりやすい。
【０００５】
そこで、本発明の目的は、安定したローディング機能を備えたディスク装置を提供することにある。
【０００６】
【課題を解決するための手段】
上記課題を解決するために請求項１は、ベース面と、このベース面に対して凹部となるディスク載せ面とを有するとともに、このディスク載せ面に載置されディスクの中心部に対応する部位が開口してなるディスクトレイを挿入及び排出するディスク装置において、
ディスクトレイの挿入位置で、載置されたディスクを挟んでクランプユニットとターンテーブルとを対向配置し、ターンテーブルがクランプユニット側に移動してディスクの中心部をクランプするように構成してなり、クランプユニットに、ベース面と所定の隙間で対向するフラット部を有するとともに、ディスク載せ面を跨いで挿入方向に延在するディスクガイドを設けた。
ディスク装置を縦置きしたときに、ディスクトレイに装着したディスクは傾き、この傾いたディスクをディスクガイドでほぼ垂直に矯正しつつ、ディスク装置内に収納していくことができる。従って、装着したディスクが傾いていても安定したローディングをすることができる。
【０００７】
請求項２は、所定の隙間をディスクの厚さを超えない寸法にしてなることを特徴とする。
所定の隙間をディスクの厚さを超えない寸法に設定したので、ディスクが不安定な状態になってもディスクトレイから抜け落ちることがない。
【０００８】
【発明の実施の形態】
本発明の実施の形態を添付図に基づいて以下に説明する。なお、図面は符号の向きに見るものとする。
図１は本発明に係るディスク装置の分解斜視図である。
ディスク装置１は、ハウジングの底部としての下部カバー２と、この下部カバー２に載置したローダ１０と、このローダ１０に被せたハウジングとしての上部カバー４と、この上部カバー４及び下部カバー２に取付けたフロントパネル５とからなる。
下部カバー２は、防振材取付け部２ａを左右側端から内側に向って４カ所曲げ形成しており、４カ所の防振材取付け部２ａは防振材としてのボトム用防振材２０をそれぞれ備える。
上部カバー４は、ローダ１０の上部を覆う天面４ａと、この天面４ａから垂直に延ばした左右の側面４ｂ，４ｂとからなる。
フロントパネル５は、ディスクを出し入れのための開口５ａを備える。
【０００９】
図２は本発明に係るディスク装置のローダ（第１実施例）の斜視図である。
ローダ１０は、矩形のベースフレーム１１と、このベースフレーム１１の上部に掛け渡したクランプユニット１２と、ベースフレーム１１に一端を支持した弾性支持フレーム１３と、この弾性支持フレーム１３に防振材１４を介して取付けたローダ本体１５と、ベースフレーム１１にスライド自在に支持したディスクトレイ１６とからなる。
【００１０】
ベースフレーム１１は、底部１１ａと、この底部１１ａから垂直に延ばした左右の側壁１１ｂ，１１ｂと、これらの側壁１１ｂ，１１ｂの上端前後に形成した４カ所のＵ溝１１ｃと、底部１１ａから突起させた複数のピン１１ｄとからなり、ローダ本体１５を上下動作すると共にディスクトレイ１６をスライドするための駆動部１８と、この駆動部１８に接続されローダ本体１５を上下させるカムプレート１９と、左右の側壁１１ｂ，１１ｂの内側に設けられてディスクトレイ１６に対するディスクＤの偏心を矯正する一対の芯出しブロック２１ａ，２１ｂを備える。４カ所のＵ溝１１ｃは、防振材としてのサイド用防振材２２をそれぞれ備える。
【００１１】
クランプユニット１２は、ベースフレーム１１の左右の側壁１１ｂ，１１ｂ間に掛け渡したクランプホルダ２４と、このクランプホルダ２４に回転自在に支持したクランパ２５とからなる。
弾性支持フレーム１３は、ベースフレーム１１の底部１１ａに取り付けた支持部１３ａ，１３ａを備え、カムプレート１９に嵌合してローダ本体１５を支持部を中心に上下動作するための駆動ピン１３ｂを備える。
【００１２】
図３は本発明に係るディスク装置のローダ本体の平面図である。
ローダ本体１５は、弾性支持フレーム１３（図２参照）に４カ所のゴムなどの防振材１４を介して取付けたシャーシ２６と、このシャーシ２６に取付けた駆動モータ２７と、この駆動モータ２７で回転するフィードスクリュー２８と、このフィードスクリュー２８で移動する光ピックアップ２９と、この光ピックアップ２９の移動を案内するガイドレール３１、シャーシ２６に取付けたスピンドルモータ３２と、このスピンドルモータ３２の軸３２ａに取付けたターンテーブル３３とからなる。
【００１３】
図４は本発明に係るディスク装置のディスクトレイ（第１実施例）の平面図である。
ディスクトレイ１６は、樹脂材を用いて一体的に成形されている。
上記ディスクトレイ１６は、上面としてのベース面３５と、このベース面３５よりも低く形成した円形凹部としてのディスク載せ面３６と、このディスク載せ面３６の縁に沿って複数形成したポケット部３７と、ベース面３５及びディスク載せ面３６の裏側に形成したラック３８と、ベース面３５及びディスク載せ面３６の両側面に形成したスライド溝３９，３９と、ベース面３５からディスク載せ面３６にかけて開けた開口部４１とからなり、フロントパネル５（図１参照）の開口５ａ（図１参照）を塞ぐフロントカバー４２を備える。
【００１４】
ベース面３５は、ローダ１０（図１参照）から抜け防止をするためのストッパ爪３５ａ，３５ａと、ポケット部３７の一部を構成するディスク保持片３５ｂ，３５ｃ，３５ｄをそれぞれ備える。
ポケット部３７は、ディスク保持片３５ｂ，３５ｃ，３５ｄ、ディスク載せ面３６及びディスク載せ面３６の側壁３６ａで構成され、ディスクトレイ１６を垂直状態で使用したときに、ディスクＤを垂直支持するためのものである。
後述するように、ディスクトレイ１６を垂直状態で使用したときには、ディスク載せ面３６のほぼ中央に載せたディスクＤ（実線で図示）は、２点鎖線で示すように自重で距離Ｌだけずれ、白抜き矢印で示した側のポケット部３７，３７に入り込み垂直支持される。
【００１５】
図５（ａ）〜（ｂ）は本発明に係るディスク装置のボトム用防振材の斜視図であり、（ａ）は第１実施例であり、（ｂ）は別実施例である。
（ａ）において、ボトム用防振材２０は、防振効果のあるゴムなどの弾性体を用いて一体的に形成されており、円板状のベース部２０ａと、このベース部２０ａに連続させると共にベース部２０ａよりも小径にした嵌合部２０ｂと、この嵌合部２０ｂに連続させると共に嵌合部２０ｂよりも小径にしたダンパ部２０ｃと、これらのベース部２０ａ、嵌合部２０ｂ及びダンパ部２０ｃを貫通させた貫通孔２０ｄとからなる。
なお、ボトム用防振材２０は、サイド用防振材２２（図２参照）と同一形状のものである。
（ｂ）において、ボトム用防振材４４は、角型の防振材で、ベース部４４ａ、嵌合部４４ｂ、ダンパ部４４ｃ、貫通孔４４ｄとからなる。
なお、ボトム用防振材４４は、サイド用防振材としても使用可能である。
【００１６】
図６は本発明に係るディスク装置（第１実施例）の正面図であり、ボトム用防振材２０及びサイド用防振材２２の装着状態を示す。
ボトム用防振材２０は、ピン１１ｄが嵌合したことを示す。また、ベースフレーム１１を下部カバー２からフローティングすると共に、上部カバー４の側面４ｂからもフローティングしたことを示す。
サイド用防振材２２は、上部カバー４の天面４ａからベースフレーム１１の上部をフローティングしたことを示し、上部カバー４の側面４ｂからもフローティングしたことを示す。
【００１７】
以上に述べた第１実施例のディスク装置１の作用を次に説明する。
図７（ａ），（ｂ）は本発明に係るディスク装置（第１実施例）の作用説明図である。
（ａ）は、ディスク装置１を横置きしたもので、ディスクＤを水平状態で使用する場合を示す。
ローダ１０は、ボトム用防振材２０で下部カバー２からフローティングしたので、ディスクの高速回転で発生した振動を矢印▲１▼の如くダンプする。従って、取付け面となるコンピュータ等の支持面Ａに振動が伝わることはない。
（ｂ）は、ディスク装置１を縦置きしたもので、ディスクＤを垂直状態で使用する場合を示す。
ローダ１０は、下部カバー２に取り付けたボトム用防振材２０と、ベースフレーム１１に取付けたサイド用防振材２２とによってフローティングしたので、ディスクの高速回転で発生した振動を矢印▲２▼の如くダンプする。従って、取付け面となるコンピュータ等の支持面Ａに振動が伝わることはない。
すなわち、ディスク装置１は、横置きをしても縦置きしてもディスクＤの回転による内部振動を軽減することができ支持面Ａに大きな振動が伝わる虞れはない。
【００１８】
【実施例】
本発明に係る実施例を次に説明する。
図８は本発明に係るディスク装置（第１実施例）を横置きしたときの振動測定データである。
実施例１；
測定条件；（ａ）参照
ディスク装置；横置き
測定ディスク；ＣＤ−ＲＯＭドライブ用、１０ｇ−ｍｍのアンバランス・ディスクＤ１
（ｂ）は測定用ディスクを示し、Ｍ＝ｍ・ｒ、ここで、Ｍはアンバランス量、ｍは質量、ｒは偏心距離とする。ｒは便宜上測定ディスクの半径とする。
ＣＤ−ＲＯＭの外径は１２０ｍｍであるからｒはｒ＝６０ｍｍとなり、Ｍは１０であるから、ｍ＝Ｍ／ｒ＝１０／６０の計算から、質量ｍは０．１６ｇとなる。
回転数      ；７４００ｒｐｍ
センサ      ；棒状の加速度ピックアップセンサ（Ｇ値測定）
測定方向    ；Ｘ、Ｙ、Ｚの３方向
測定箇所    ；上部カバー４、ローダ１０（上部カバー４の一部に孔を開け、加速度ピックアップセンサを取付け）
【００１９】
（ｃ）は振動の加速度成分の測定値を示す。
測定結果；
Ｘ方向      ；Ｘ１（０．６２Ｇ）、Ｘ２（３．３０Ｇ）
Ｙ方向      ；Ｙ１（１．９０Ｇ）、Ｙ２（４．１０Ｇ）
Ｚ方向      ；Ｚ１（０．４０Ｇ）、Ｚ３（１．００Ｇ）
【００２０】
Ｘ方向ではローダ１０は３．３０Ｇ、上部カバー４が０．６２Ｇであるから上部カバー４までに振動の加速度成分は１／５に減衰されたことになる。
Ｙ方向ではローダ１０は４．１０Ｇ、上部カバー４が１．９０Ｇであるから上部カバー４までに振動の加速度成分は１／２に減衰されたことになる。
Ｚ方向ではローダ１０は１．００Ｇ、上部カバー４が０．４０Ｇであるから上部カバー４までに振動の加速度成分は１／２に減衰されたことになる。
なお、下部カバー２（図１参照）及び上部カバー４にボトム用防振材２０（図１参照）及びサイド用防振材２２（図１参照）介さずにローダ１０を覆った場合にはローダ１０のＧ値が上部カバー４のＧ値となる。
【００２１】
図９は本発明に係るディスク装置（第１実施例）を縦置きしたときの振動測定データである。
実施例２
測定条件；（ａ）参照
ディスク装置；縦置き
測定ディスク；ＣＤ−ＲＯＭドライブ用、１０ｇ−ｍｍのアンバランス・ディスクＤ１（実施例１と同一ディスク、（ｂ）参照）
回転数      ；７４００ｒｐｍ
センサ      ；棒状の加速度ピックアップセンサ（Ｇ値測定）
測定方向    ；Ｘ、Ｙ、Ｚの３方向
測定箇所    ；上部カバー４、ローダ１０（上部カバー４の一部に孔を開け、加速度ピックアップセンサを取付け）
【００２２】
（ｃ）は振動の加速度成分の測定値を示す。
測定結果；
Ｘ方向      ；Ｘ３（０．９２Ｇ）、Ｘ４（３．４０Ｇ）
Ｙ方向      ；Ｙ３（１．００Ｇ）、Ｙ４（４．４０Ｇ）
Ｚ方向      ；Ｚ３（０．３０Ｇ）、Ｚ４（１．２０Ｇ）
【００２３】
Ｘ方向ではローダ１０は３．４０Ｇ、上部カバー４が０．９２Ｇであるから上部カバー４までに振動の加速度成分は１／４に減衰されたことになる。
Ｙ方向ではローダ１０は４．４０Ｇ、上部カバー４が１．００Ｇであるから上部カバー４までに振動の加速度成分は１／４に減衰されたことになる。
Ｚ方向ではローダ１０は１．２０Ｇ、上部カバー４が０．３０Ｇであるから上部カバー４までに振動の加速度成分は１／４に減衰されたことになる。
なお、下部カバー２（図１参照）及び上部カバー４にボトム用防振材２０（図１参照）及びサイド用防振材２２（図１参照）介さずにローダ１０を覆った場合にはローダ１０のＧ値が上部カバー４のＧ値となる。
また、実施例１、実施例２の測定結果を比較するとＸ〜Ｚすべての方向で横置きよりも縦置きの姿勢のほうが振動が大きい。
【００２４】
図１０から図１５にてディスク装置（第２実施例）について説明する。
図１０は本発明に係るディスク装置（第２実施例）の斜視図であり、ディスク装置５０の垂直使用状態を示し、Ａは支持面を示す。
ディスク装置５０は、下部カバー２と、この下部カバー２に載置したローダ６０と、このローダ６０に被せた上部カバー４と、この上部カバー４及び下部カバー２に取付けたフロントパネル５（図１参照）とからなる。なお、第１実施例で示したディスク装置１と同一部品については符号を流用し詳細な説明は省略する。
【００２５】
ローダ６０は、矩形のベースフレーム１１と、このベースフレーム１１に一端を支持した弾性支持フレーム１３と、この弾性支持フレーム１３に防振材１４を介して取付けたローダ本体１５と、ベースフレーム１１にスライド自在に支持したディスクトレイ１６と、ベースフレーム１１の上部に掛け渡したクランプユニット６１とからなる。なお、第１実施例で示したローダ１０と同一部品については符号を流用し詳細な説明は省略する。
クランプユニット６１は、ベースフレーム１１の側壁１１ｂ，１１ｂ間に掛け渡したクランプホルダ６２と、このクランプホルダ６２に回転自在に支持したクランパ６３と、クランプホルダ６２の裏面の上下に取付けたディスクガイド６４，６４とからなる。
【００２６】
図１１は本発明に係るディスク装置のローダ（第２実施例）の要部断面図である。
ディスクガイド６４は、ディスクＤの挿入方向に向ってテーパ状に形成され、ディスクトレイ１６に垂直に支持したディスクＤの傾きを矯正する案内部６４ａと、回転中のディスクＤが接触しないための凹部６４ｂと、この凹部６４ｂの両端に設けたフラット部６４ｃ，６４ｄとからなる。
ローダ６０は、垂直なディスクＤをディスクトレイ１６内に収納し、クランプ前であることを示す。クランプ位置では、下方（図面裏方向）に偏心してローディングされたディスクＤが心押しブロック２１ａで上方（図面表方向）に修正され、ほぼターンテーブル３３にセンタリングされたことを示す。ディスクＤは、上側のポケット部３７（図４参照）から外れた状態にあり、不安定な状態にあることを示す。
【００２７】
ディスクトレイ１６のベース面３５とディスクガイド６４のフラット部６４ｃ，６４ｄとの隙間をδ、ディスクＤの厚さをｔとするときに、隙間δをディスクトレイ１６の移動を可能にするとともに、ディスクＤの厚さｔを超えない寸法に設定した。（０＜δ＜ｔ）
隙間δをディスクトレイ１６の移動を可能にするとともに、ディスクＤの厚さｔを超えない寸法に設定したので、ディスクＤが不安定な状態になってもディスクトレイ１６から抜け落ちることがない。
【００２８】
以上に述べたディスク装置５０の作用を次に説明する。
図１２（ａ），（ｂ）は本発明に係るディスク装置（第２実施例）の第１作用説明図であり、（ａ）はディスク装置５０の正面、（ｂ）は（ａ）のｂ矢視図を示す。なお、ディスク装置５０は垂直使用状態であることを示す。
ディスクトレイ１６のディスク載せ面３６にディスクＤを矢印▲３▼の如くマウントする。
【００２９】
図１３（ａ），（ｂ）は本発明に係るディスク装置（第２実施例）の第２作用説明図であり、（ａ）はディスク装置５０の正面、（ｂ）は（ａ）のｂ矢視図を示す。なお、ディスク装置５０は垂直使用状態であることを示す。
ディスクトレイ１６のディスク載せ面３６にディスクＤをマウントしたことを示し、ディスクＤは、重力によって支持面Ａ側（下側）のポケット部３７で支持され、一方、上側のポケット部３７から外れていることを示す。
ディスクＤの厚さｔ、ポケット部３７の隙間δ１とするときに、隙間δ１と厚さｔとの差分（δ１−ｔ）により傾きθが発生することを示す。この差が少ないほど傾きθは小さいものとなるが、ディスクＤの装着が難しい。また、ディスクＤの厚さｔは所定のばらつきを含むものであり、適正なクリアランスは必要である。
【００３０】
図１４（ａ），（ｂ）は本発明に係るディスク装置（第２実施例）の第３作用説明図であり、（ａ）はディスク装置５０の正面、（ｂ）は（ａ）のｂ矢視図を示す。なお、ディスク装置５０は垂直使用状態であることを示す。
ディスク装置５０内にディスクトレイ１６を矢印▲４▼の如く収納していくことで、ディスクガイド６４でディスクを矢印▲５▼の如く案内しディスクＤの傾きをほぼ垂直に矯正することを示す。従って、ディスクＤが傾いていても安定してローディングをすることができる。
【００３１】
図１５（ａ），（ｂ）は本発明に係るディスク装置（第２実施例）の第４作用説明図であり、（ａ）はディスク装置５０の正面、（ｂ）は（ａ）のｂ矢視図を示す。なお、ディスク装置５０は垂直使用状態であることを示す。
ディスクトレイ１６をディスク装置５０内に収納したことを示す。
芯出しブロック２１ａは、ディスクＤを重力に抗して矢印▲６▼の如く移動して、ターンテーブル３３（図１１参照）のほぼセンタに合せたことを示す。
【００３２】
図１６〜図１８にてディスクトレイ（第２実施例）について説明する。
図１６は本発明に係るディスク装置のディスクトレイ（第２実施例）の斜視図であり、ディスクトレイ６６を垂直で使用した姿を示す。
ディスクトレイ６６は、上面としてのベース面６７と、このベース面６７よりも低く形成した円形凹部としてのディスク載せ面６８と、このディスク載せ面６８の縁に沿って複数形成したポケット部６９と、ベース面６７及びディスク載せ面６８の裏側に形成したラック（不図示）と、ベース面６７及びディスク載せ面６８の両側面に形成したスライド溝７２，７２（一方不図示）と、ベース面６７からディスク載せ面６８にかけて開けた開口部７３とからなり、フロントパネル５（図１参照）の開口５ａ（図１参照）を塞ぐフロントカバー７４を備える。
【００３３】
図１７は図１６の１７−１７線断面図であり、ディスクトレイ６６の断面を示す。
ベース面６７は、ディスク載せ面６８の縁に略直角三角形断面のディスク保持片７６を複数備える。
ポケット部６９は、ディスク保持片７６、ディスク載せ面６８及びディスク載せ面６８の側壁６８ａで構成し、ディスクトレイ６６を垂直状態で使用したときに、ディスクＤを垂直支持するためのものである。
ディスク保持片７６は、略直角三角形断面の直角を挟む２辺のうちの一辺をディスクトレイ６６のベース面６７に一体化し、２辺のうちの他辺にディスクＤの端部を保持させるためのポケット部６９の一部を形成し、三角形の斜辺をディスクのテーパ面７６ａにしたものである。
言い換えれば、ポケット部６９に、ディスクＤを挿入するときにディスクＤの端面をガイドするためのテーパ面７６ａをベース面６７よりも高く形成したものである。
【００３４】
以上に述べたディスクトレイ６６の作用を次に説明する。
図１８（ａ）〜（ｃ）は本発明に係るディスク装置のディスクトレイ（第２実施例）の作用説明図である。
（ａ）は、ディスクトレイ６６に垂直なディスクＤを矢印▲７▼の如く移動させたことを示す。
（ｂ）は、ディスクＤがディスク保持片７６のテーパ面７６ａまで到達させたことを示す。テーパ面７６ａまで到達したディスクＤの端面は、矢印▲８▼の如くテーパ面７６ａに案内されディスク載せ面６８に向って移動できることを示す。
（ｃ）は、ディスクＤがテーパ面７６ａを通過して矢印▲９▼の如くポケット部６９に挿入可能であることを示す。
ポケット部６９を構成するディスク保持片７６にディスクＤを案内するテーパ面７６ａを設けたので、ポケット部６９に垂直姿勢のディスクＤを容易に挿入することができる。
【００３５】
図１９〜図２１にてディスクトレイ（第３実施例）について説明する。
図１９は本発明に係るディスク装置のディスクトレイ（第３実施例）斜視図である。
ディスクトレイ８１は、上面としてのベース面８２と、このベース面８２よりも低く形成した円形凹部としてのディスク載せ面８３と、このディスク載せ面８３の縁に沿って複数形成したポケット部６９と、ベース面８２及びディスク載せ面８３の裏側に形成したラック（不図示）と、ベース面８２及びディスク載せ面８３の両側面に形成したスライド溝８６，８６と、ベース面８２からディスク載せ面８３にかけて開けた開口部８７と、ベース面８２の前方に設けた前面凹部８８とからなる。なお、第２実施例で示したディスクトレイ６６と同一部品については符号を流用し詳細な説明は省略する。
【００３６】
図２０は本発明に係るディスク装置のフロントパネル（第２実施例）断面図であり、ディスクトレイ８１を使用するための一例を示す。
フロントパネル９１は、パネル本体９２と、このパネル本体９２に開閉自在取り付けたフロントドア９３と、このフロントドア９３とパネル本体９２との間に掛け渡した引張りばね９４とからなる。９３ａは、フロントドア９３の支点である。
フロントドア９３は、ディスクトレイ８１のスライド動作によって自動的に開閉するものである。
【００３７】
以上に述べたディスクトレイ８１の作用を次に説明する。
図２１（ａ），（ｂ）は本発明に係るディスク装置のディスクトレイ（第３実施例）の作用説明図であり、（ａ）は第１，第２実施例のディスクトレイ１６，６６にディスクＤをマウントするときの支持方法を示し、（ｂ）は第３実施例のディスクトレイ８１にディスクＤをマウントするときの支持方法をを示す。
（ａ）は、左手の人差し指をディスクＤの孔Ｄ２に挿入し、左手の親指を上にしてディスクＤの外径Ｄ３に当てディスクＤを支持したことを示す。
（ｂ）は、左手の人差し指をディスクＤの孔Ｄ２に挿入し、前面凹部８８を利用して左手の親指を横にしてディスクＤの外径Ｄ３に当てディスクＤを支持したことを示す。
左手の親指を横にしてディスクＤの外径Ｄ３に当てディスクＤを支持したので、ディスクＤの出し入れ時の操作性が向上する。
また、ディスクトレイ８１は、（ａ）に示すカバー４２，７４がないので、さらに、ディスクＤの出し入れ時の操作性が向上する。
【００３８】
【発明の効果】
本発明は上記構成により次の効果を発揮する。
請求項１は、ディスクトレイの挿入位置で、載置されたディスクを挟んでクランプユニットとターンテーブルとを対向配置し、ターンテーブルがクランプユニット側に移動してディスクの中心部をクランプするように構成してなり、クランプユニットに、ベース面と所定の隙間で対向するフラット部を有するとともに、ディスク載せ面を跨いで挿入方向に延在するディスクガイドを設けたので、装着したディスクが傾いていても安定したローディングをすることができる。
【００３９】
請求項２は、所定の隙間をディスクの厚さを超えない寸法に設定したので、ディスクが不安定な状態になってもディスクトレイから抜け落ちることがない。
【図面の簡単な説明】
【図１】本発明に係るディスク装置の分解斜視図
【図２】本発明に係るディスク装置のローダ（第１実施例）の斜視図
【図３】本発明に係るディスク装置のローダ本体の平面図
【図４】本発明に係るディスク装置のディスクトレイ（第１実施例）の平面図
【図５】本発明に係るディスク装置のボトム用防振材の斜視図
【図６】本発明に係るディスク装置（第１実施例）の正面図
【図７】本発明に係るディスク装置（第１実施例）の作用説明図
【図８】本発明に係るディスク装置（第１実施例）を横置きしたときの振動測定データ
【図９】本発明に係るディスク装置（第１実施例）を縦置きしたときの振動測定データ
【図１０】本発明に係るディスク装置（第２実施例）の斜視図
【図１１】本発明に係るディスク装置のローダ（第２実施例）の要部断面図
【図１２】本発明に係るディスク装置（第２実施例）の第１作用説明図
【図１３】本発明に係るディスク装置（第２実施例）の第２作用説明図
【図１４】本発明に係るディスク装置（第２実施例）の第３作用説明図
【図１５】本発明に係るディスク装置（第２実施例）の第４作用説明図
【図１６】本発明に係るディスク装置のディスクトレイ（第２実施例）の斜視図
【図１７】図１６の１７−１７線断面図
【図１８】本発明に係るディスク装置のディスクトレイ（第２実施例）の作用説明図
【図１９】本発明に係るディスク装置のディスクトレイ（第３実施例）斜視図
【図２０】本発明に係るディスク装置のフロントパネル（第２実施例）断面図
【図２１】本発明に係るディスク装置のディスクトレイ（第３実施例）の作用説明図
【符号の説明】
１６…ディスクトレイ、３３…ターンテーブル、５０…ディスク装置、６１…クランプユニット、６４…ディスクガイド、Ｄ…ディスク、ｔ…厚さ、δ…隙間。
【図１】
0003570473.tif 000002
【図２】
0003570473.tif 000003
【図３】
0003570473.tif 000004
【図４】
0003570473.tif 000005
【図５】
0003570473.tif 000006
【図６】
0003570473.tif 000007
【図７】
0003570473.tif 000008
【図８】
0003570473.tif 000009
【図９】
0003570473.tif 000010
【図１０】
0003570473.tif 000011
【図１１】
0003570473.tif 000012
【図１２】
0003570473.tif 000013
【図１３】
0003570473.tif 000014
【図１４】
0003570473.tif 000015
【図１５】
0003570473.tif 000016
【図１６】
0003570473.tif 000017
【図１７】
0003570473.tif 000018
【図１８】
0003570473.tif 000019
【図１９】
0003570473.tif 000020
【図２０】
0003570473.tif 000021
【図２１】
0003570473.tif 000022